(57)【要約】【課題】据え置き型の録画機等の電子機器の前面により多くの操作ボタンを配置可能とし、リモコンが使用できない状況でも、多くの機能を電子機器の操作ボタンで操作可能とする。【解決手段】電子機器の前面に操作用開口部１０を設け、この操作用開口部１０に操作部９を電子機器前面に沿った回転軸回りに回転可能に設ける。操作部９は、操作ボタン９２が配置された第一の操作面９１１と、操作ボタン９２が配置された第二の操作面９３１とを有する。前面扉７を開け、操作部９を回転させることで、第一の操作面９１１が操作用開口部１０で前方を向いた状態と、第二の操作面９３１が操作用開口部１０から露出して前方を向いた状態とを切り換えられる。これにより、限られた面積で、操作ボタン９２を配置可能な操作面の面積を増やせる。【選択図】　　　　図４
2004022358.tif 000002
【特許請求の範囲】
【請求項１】
複数の操作ボタンが備えられた電子機器において、
ケーシングの前面の少なくとも一部を構成するとともに、開口部が形成された前面板と、
前記前面板の開口部に配置されるとともに、前記前面板に対して平行でかつ水平な回転軸回りに回転自在とされた操作部とが備えられ、
前記操作部には、前記操作ボタンが配置されるとともに、前記回転軸に対して平行で、かつ、互いに異なる角度とされた二つの操作面が設けられ、
さらに、前記操作部には、正面が前記操作面のうちの一方の操作面とされた第一の操作パネルと、正面が前記操作面のうちの他方の操作面とされた第二の操作パネルとが備えられ、
第二の操作パネルが、第一の操作パネルの背面側に配置され、かつ、第一の操作パネルの操作面に対して第二の操作パネルの操作面が略直角に配置され、
前記前面板の前記操作部より前に、前記開口部を開閉する扉が設けられ、
前記扉が開けられた状態で、前記操作部が回転させられることにより、前記ケーシングの前方を向く操作面が切り換え自在とされていることを特徴とする電子機器。
【請求項２】
複数の操作ボタンが備えられた電子機器において、
ケーシングの前面の少なくとも一部を構成するとともに、開口部が形成された前面板と、
前記前面板の開口部に配置されるとともに、前記前面板に対して平行な回転軸回りに回転自在とされた操作部とが備えられ、
前記操作部には、前記操作ボタンが配置されるとともに、前記回転軸に対して平行で、かつ、互いに異なる角度とされた複数の操作面が設けられ、
前記操作部が回転させられることにより、前記ケーシングの前方を向く操作面が切り換え自在とされていることを特徴とする電子機器。
【請求項３】
請求項２記載の電子機器において、
前記回転軸が水平に配置され、
前記操作面が二つとされ、
前記操作部は、正面が前記操作面のうちの一方の操作面とされた第一の操作パネルと、正面が前記操作面のうちの他方の操作面とされた第二の操作パネルとが備えられ、
第二の操作パネルが、第一の操作パネルの背面側に配置され、かつ、第一の操作パネルの操作面に対して第二の操作パネルの操作面が略直角に配置されていることを特徴とする電子機器。
【発明の詳細な説明】
【０００１】
【発明の属する技術分野】
本発明は、複数の操作ボタンを有する電子機器に関する。
【０００２】
【従来の技術】
ビデオ、ＤＶＤ、ＣＤ、ＭＤと言った音楽や映像等の記録媒体の再生や記録を行うプレイヤ及びレコーダや、各種アンプなどのいわゆるオーディオビジュアル機器（ＡＶ機器）は、据え置き型の場合に、各種操作を行うための操作ボタン等を備えた操作パネルが前面に設けられている。
また、据え置き型のＡＶ機器においては、操作がリモコンで行えるようになっており、ＡＶ機器側のボタンが必ずしも頻繁に使われることがないのと、デザイン上の問題から、操作パネルの前側に開閉する扉が設けられる場合があり、このような場合は、操作パネルが扉により隠されるようになっていた。
【０００３】
【発明が解決しようとする課題】
ところで、据え置き型のＡＶ機器においては、薄型化、小型化が進められ、前面の面積が減少傾向となっている。また、ビデオレコーダ、ＤＶＤレコーダ等の録画装置においては、前面に、ビデオカセットやリライタブルＤＶＤといった記憶媒体を入出する入出口を備えるとともに、動作状況等を表示する表示部を備えており、操作ボタンを配置する面積が限られていた。
【０００４】
また、録画装置等においては、ビデオカメラ等の他の携帯可能な機器との接続を考慮して、前面に接続用のジャック等が配置され、さらに操作ボタンを配置する面積が減少していた。また、上述のように扉を設けた場合も、扉の設置に場所を取られ、操作ボタンを配置する面積を減少させる要因となっていた。
また、録画装置には、電源スイッチ、再生ボタン、停止ボタン、録画ボタン等の基本的な操作ボタンの他に、画質、音質等の調整用の操作ボタン、録画タイマーの設定用の操作ボタン、編集用の操作ボタンなど様々な機能の操作ボタンがあり、操作ボタンの数が多かった。
【０００５】
したがって、ＡＶ機器の操作ボタンの全てをＡＶ機器の前面に配置することは困難であり、ＡＶ機器の基本的な機能だけをＡＶ機器の前面に配置していた。そして、ＡＶ機器の全ての機能に対応するボタンは、リモコンに設けられ、各種機能の操作は、主にリモコンにより行われるようになっていた。
しかし、リモコンにおいては、ＡＶ機器本体とは別体で携帯可能とされているため、以前に使った際にどこに置いたかを忘れて、必要なときにすぐにＡＶ機器を操作できないことが良くある。また、リモコンは、携帯可能なことから電源が電池となっており、電池切れで使用できなくなる場合があった。さらに、リモコンは、携帯可能なことから落としたり、ものにぶつけたり、水に濡らしたりして故障により使用できなくなる確率が据え置き型のＡＶ機器の本体よりも高かった。
【０００６】
これらのことからリモコンが使用できない場合に、ＡＶ機器の前面の操作パネルを使用することになるが、多くの操作ボタンをＡＶ機器に配置できないことから、ＡＶ機器に設けられた操作パネルで操作可能な機能は限られており、ＡＶ機器の多くの機能を使用できない状態になってしまうという問題があった。
なお、例えば、特開平８−３６８７１号公報に示されるように、ビデオレコーダ等の電子機器において、水平な平板状の操作パネルを前後移動により、電子機器の前面から出没可能とすることにより、電子機器の前面の面積が狭くとも、多数の操作ボタンを配置可能な構造が開示されている。
【０００７】
また、前面のほぼ全体を覆うような扉を設け、該扉の裏面に多くの操作ボタンを配置するような構造のビデオレコーダも知られている。
しかし、これらのビデオレコーダにおいては、操作パネルとなる部分がほぼ水平に配置され、その上面に操作ボタンが配置されているため、例えば、ビデオレコーダが背の高いラックの上の方に設置されている場合などにおいて、操作が困難になるといった問題がある。なお、操作パネルが電子機器の前面に配置されていれば、手の届く範囲ならばどこに電子機器が設置されていても操作が可能である。
【０００８】
本発明の課題は、前面に配置可能な操作ボタンの数を増やし、リモコンが無い場合でも、多くの機能の操作が可能な電子機器を提供することである。
【０００９】
【課題を解決するための手段】
本発明は、複数の操作ボタンが備えられた電子機器において、ケーシングの前面の少なくとも一部を構成するとともに、開口部が形成された前面板と、前記前面板の開口部に配置されるとともに、前記前面板に対して平行でかつ水平な回転軸回りに回転自在とされた操作部とが備えられ、前記操作部には、前記操作ボタンが配置されるとともに、前記回転軸に対して平行で、かつ、互いに異なる角度とされた二つの操作面が設けられ、さらに、前記操作部には、正面が前記操作面のうちの一方の操作面とされた第一の操作パネルと、正面が前記操作面のうちの他方の操作面とされた第二の操作パネルとが備えられ、第二の操作パネルが、第一の操作パネルの背面側に配置され、かつ、第一の操作パネルの操作面に対して第二の操作パネルの操作面が略直角に配置され、前記前面板の前記操作部より前に、前記開口部を開閉する扉が設けられ、前記扉が開けられた状態で、前記操作部が回転させられることにより、前記ケーシングの前方を向く操作面が切り換え自在とされていることを特徴とする。
【００１０】
本発明によれば、ケーシングの前面板の開口部にある操作部を回転させて、操作部に設けられ、かつ、操作ボタンが配置された複数の操作面を切り換えて前方を向かせるようにして使用できるので、電子機器の前面の限られた面積の中に多くの操作ボタンを配置することが可能となる。これにより、リモコンが使用できない状況となっても、電子機器の本体側で、多くの機能の操作を行うことが可能となる。また、使用する操作面が電子機器の前方を向くようにすることで、操作面が上を向いている場合のように電子機器を高い位置に設置することにより操作が困難になるようなことがなく、電子機器が手の届く範囲にあれば操作面の操作ボタンの操作が可能となる。
【００１１】
また、上述の操作面を、互いに直角に配置するとともに、第一の操作パネルと、第一の操作パネルの背面側に配置された第二の操作パネルとにそれぞれ操作面を配置することで、第一の操作パネルの正面の操作面が前方を向く状態では、第二の操作パネルを第一の操作パネルの背面に隠すことができる。
また、操作部の回転軸が水平となっているので、第一の操作パネルを前方側に倒して操作面が下をむくようにした状態で、第二の操作パネルの操作面が前方を向くようにすることができる。この場合には、第二の操作パネルの操作面が使用可能な状態で、第一の操作パネルの操作面が下を向くことにより隠されることになる。したがって、互いに角度の異なる操作面が同時に見えるような状態となるのを防止することができ、複数のボタンを有する複数の操作面が同時に見えることにより煩雑な印象を与えずにすみ、意匠性を高めることができる。
【００１２】
また、前面板の開口部に操作部を回転自在に配置するものとしても、扉により操作部を開口部ごと隠すことが可能であり、開口部からの埃の侵入の防止を図ることができる。また、意匠性を高めるために扉を設けることにより、操作ボタンを設置可能な面積が減っても、操作部に複数の操作面を設けることで上述のように多くの操作ボタンを配置することができる。
【００１３】
【発明の実施の形態】
以下に、本発明の実施の形態の電子機器を図面を参照し説明する。
図１及び図２に示すように、この実施の形態の電子機器は、本発明をＤＶＤレコーダ１に応用したものであり、以下にこの実施の形態の電子機器をＤＶＤレコーダ１と称する。
【００１４】
図１に示すように、ＤＶＤレコーダ１は、そのケーシング２の前面を構成する矩形状の前面板３のほぼ半分より上側に、ＤＶＤレコーダ１の動作状態を表示する液晶表示部４と、リモコンからの赤外線信号を受信するリモコン用受信部５と、電源のｏｎ・ｏｆｆを示す電源ランプ６とが配置され、前面板３の前面のほぼ半分より下側が前面扉７（開いた状態で図示）により覆われている。
また、前面板３の前面扉７の後側には、図示しないディスクトレイを出入するために、前面板３に形成されたディスク入出用開口部８と、本発明にかかわる操作部９と、該操作部９を露出させるために前記前面板３に形成された二つの操作用開口部１０（図２等に図示）とが配置されている。
【００１５】
前記前面板３は、ＤＶＤレコーダ１のケーシング２の前面を構成する外装板となっており、上述の液晶表示部４、リモコン用受信部５、電源ランプ６の設置位置にも開口部が形成されている。また、前面板３の下半分には、中央にディスク入出用開口部８が形成されるとともにその左右に近接してそれぞれ操作用開口部１０が形成されており、各開口部の周囲を囲む枠状となっている。また、操作用開口部１０は、それぞれ、左右に長い矩形状に形成されている。
【００１６】
図１から図５に示すように、前面扉７は、左右幅がＤＶＤレコーダ１の前面とほぼ同じ長さとされ、上下幅がＤＶＤレコーダ１の前面の下側縁から中央の高さまでの長さとされ、上下幅に対して左右幅が長いほぼ矩形状とされている。
また、前面扉７は、その上側縁部と下側縁部とが後方を向くように断面が弓状となっている。これにより、前面扉７は、その背面が凹部となっており、この凹部に後述するように操作部９の第一の操作パネル９１を収容可能となっている。
また、前面扉７の下側縁部の左右には、ケーシング２に回転自在に係合するピン７１が設けられている。これにより、前面扉７は、その下側縁部に沿うとともに前面板の長さ方向に沿った回転軸回りに回動自在となっており、前面扉７の上側縁部がケーシング２の外側に向かいながら下降するように外開きする扉となっている。
【００１７】
また、前面扉７は、前面板３に沿って閉じた状態と、ほぼ水平となって開いた状態との二つの状態との間を回転移動するようになっており、その範囲以上の回転移動を例えば図示しないストッパ等の回転規制部材により規制されている。
なお、前面扉７は、開いた状態で水平よりも僅かに上側縁部が下に下がって斜めとなる位置まで回転可能となっている。これにより、前面扉７の上側縁部が開いて下方に移動した際に、操作部９の使用状態となった後述する第一の操作面９１１もしくは第二の操作面９３１と重なる高さとなるのを防止し、前面扉７の上側縁部が操作部９の操作の妨げとなるのを防止している。
【００１８】
左右の操作部９は、備えられる操作ボタン９２の種類が異なる以外は、ほぼ同じ構成となっている。
そして、操作部９は、複数の操作ボタン９２を有する第一の操作パネル９１及び第二の操作パネル９３と、これら第一の操作パネル９１及び第二の操作パネル９３を固定した状態に支持する左右の側板９４と、第一の操作パネル９１の後方に配置される第一のスイッチ基板９５ａと、第二の操作パネル９３の後方に配置される第二のスイッチ基板９５ｂとを備えているとともに後述するように回動自在となっている。
【００１９】
第一の操作パネル９１は、前記前面板の操作用開口部１０より僅かに小さい正面視して概略矩形状のプレートであり、前記前面扉７と同様にその上側縁部と下側縁部とが後方に向かうように湾曲した構造となっており、第一の操作パネル９１の上側縁部と下側縁部とが前面扉７の後面側の凹部に嵌り込んで安定して収容される形状となっている。また、第一の操作パネル９１の上側縁部と下側縁部との間は、その正面が後方に凹んだ状態となっている。そして、上側縁部と下側縁部との間の凹んだ部分の正面がほぼ矩形で平面状の第一の操作面９１１となっており、この第一の操作面９１１の部分に操作ボタン９２が、第一の操作パネル９１を貫通して前後動自在に配置されている。なお、操作ボタン９２は、その後端部分が第一の操作パネル９１の背面に係合することにより、第一の操作パネル９１から前側に抜けることがない構成となっている。
【００２０】
また、第一の操作パネル９１の凹んだ部分に操作ボタン９２が配置されていることにより、前面扉７の裏面に第一の操作パネル９１が配置された状態で、前面扉７により操作ボタン９２が押されることがない形状となっている。
また、第一の操作パネル９１は、操作部９全体と一体となって、第一の操作パネル９１の下側縁部に沿った回転軸回りに図３及び図４に示す前面板３に沿って立った状態から第一の操作パネル９１の上側縁部がケーシング２の外側に向かいながら下降するように外開きして、図５に示すように、開いた状態の前面扉７に沿って寝た状態となるようになっている。
前記第二の操作パネル９３は、第一の操作パネル９１の後面から後方に向かって延出するように形成されている。第一の操作パネル９１と第二の操作パネル９３は、ほぼ直交する状態となっており、これらを合わせた形状がほぼＬ字状となっている（なお、Ｔ字状となっていても良い）。
【００２１】
そして、第二の操作パネル９３は、前記前面板の操作用開口部１０より僅かに小さい正面視して略矩形状のプレートであり、前縁部と後縁部との間の中央部が第一の操作パネル９３と同様に凹んだ状態とされている。そして、第二の操作パネル９３の中央部の凹んだ部分の正面がほぼ矩形で平面状の第二の操作面９３１となっている。この第二の操作面９３１の部分に操作ボタン９２が、第二の操作パネル９３を貫通して前後動自在に配置されている。なお、操作ボタン９２は、その後端部分が第二の操作パネル９３の背面に係合することにより、第一の操作パネル９１から前側に抜けることがない構成となっている。
また、第二の操作パネル９３は、第一の操作パネル９１の第一の操作面９１１が前面板に沿って立った状態となって際に、第一の操作パネル９１の背面側で第二の操作面９３１が上を向いた状態となり、第一の操作パネル９１が上述のように回転して第一の操作面９１１が下を向いた際に、第二の操作面９３１が前面板３に沿って前方を向いた状態となる。
【００２２】
なお、前面扉７が上述のように開いた状態で、水平よりさらに傾いて斜めとなり、第一の操作パネル９１も水平よりさらに傾いて斜めとなった場合には、第一の操作面９１１が斜めとなっても第二の操作面９３１がほぼ鉛直となるように、第一の操作面９１１と第二の操作面９３１とがなす角が９０度より僅かに開いた状態となるものとしても良い。
【００２３】
そして、第一の操作パネル９１及び第二の操作パネル９３の左右両端部は、それぞれ、鉛直方向に沿って互いに平行に配置された左右の側板９４に接続されて固定されている。これにより、第一の操作パネル９１と第二の操作パネル９３の配置が決められるとともに、第一の操作パネル９１と第二の操作パネル９３が一体に回転可能に側板９４を介して接合された状態となっている。
【００２４】
前記第一のスイッチ基板９５ａは、第一の操作パネル９１の後方で第一の操作パネル９１に近接して配置されるとともに、第一の操作面９１１と平行に配置されている。また、第一のスイッチ基板９５ａは、その両端部が左右の側板９４に接続されて支持されている。そして、第一のスイッチ基板９５ａの第一の操作パネル９１側の正面には、第一の操作パネル９１に配置された操作ボタン９２と前後に重なる位置にタクトスイッチ９６が表面実装されている。
タクトスイッチ９６は、表面実装用のスイッチであり、第一のスイッチ基板９５ａ等の基板のプリント配線に接続されるとともに、操作ボタン９２を押圧した際に操作ボタン９２に押されてスイッチングするようになっている。
【００２５】
前記第二のスイッチ基板９５ｂは、第一のスイッチ基板９５ａと同様のものであり、第二の操作パネル９３の後方で第二の操作パネル９３に近接して配置されるととも、第二の操作面９３１と平行に配置されている。また、第二のスイッチ基板９５ｂは、その両端部が左右の側板９４に接続されて支持されている。そして、第二のスイッチ基板９５ｂの第二の操作パネル９３側の正面には、第二の操作パネル９３に配置された操作ボタン９２と前後に重なる位置に前述のタクトスイッチ９６が表面実装されている。
【００２６】
また、第一のスイッチ基板９５ａと第二のスイッチ基板９５ｂとは、図示しないフレキシブルプリント基板により電気的に接続されているとともに、第一のスイッチ基板９５ａは、フレキシブルプリント基板９８により、図示しないＤＶＤレコーダの主基板と接続されている。
なお、第一の操作パネル９１及び第二の操作パネル９３には、操作ボタン９２の他に、図１に示すようにピンジャック１５等を設けるものとしても良い。
【００２７】
そして、このような構成の操作部は、左右の側板９４の外面側の下部（例えば、第一の操作パネル９１の下側縁部に対応する位置）にピン９９を有し、このピン９９がケーシング２に回転自在に嵌合していることにより、前面板３の長さ方向に沿った水平な回転軸回りに回転自在となっている。この例においては、第一の操作パネル９１の下側縁部を中心に回転自在となっており、上述のように第一の操作パネル９１の第一の操作面９１１が前方を向く位置と、第二の操作パネル９３の第二の操作面９３１が前方を向く位置との間で回転可能となっている。
【００２８】
また、前記ケーシング２（例えば、前面板３の左右の側板）に設けられて操作部９のピン９９に嵌合する嵌合孔は、ＤＶＤレコーダ（ケーシング）の前後に沿って長い長孔１２となっており、操作部９のピン９９に対応した回転軸を前後に移動可能となっている。また、ピン９９の中央に対応する位置には、前記ピン９９に係合する図示しない係合部が設けられており、図３及び図４に示すようにピン９９が長孔１２の中央部に位置するようにピン９９の位置を規制している。
また、前記係合部は、弾性変形することにより、ピン９９との係合を解除することが可能となっているとともに、ピン９９を再びはめ込んで係合させることが可能となっている。
【００２９】
したがって、例えば、図４に示すように、前面扉７が開いた状態で、かつ、第一の操作パネル９１が前面板３に沿ってほぼ鉛直方向に沿っている状態で、第一の操作パネル９１の下側縁部を操作ボタン９２を操作するときより強く後方に押してやることにより、ピン９９と係合部との係合が解除される。そして、第一の操作パネル９１の下側縁部が後方に移動することにより、第一の操作パネル９１が傾き、例えば、自重により、第一の操作パネル９１の上側縁部がケーシング２の外側に向かいながら倒れ込み、第一の操作パネル９１が水平に近い状態となる。
【００３０】
なお、操作部９の回転中心は、この際にピン９９が長孔１２の後部に移動することで、後方に移動することになり、回転中心が移動しないで操作部９が回転した場合に、第二の操作パネル９３の後縁部が前面板３の操作用開口部１０の上側の縁に接触するような形状となっていても、操作部９の回転中心を長孔１２に沿って後方に移動できるようにしたことで、操作部９の回転に際し、前面板３の操作用開口部１０の上側の縁と、第二の操作パネル９３の後縁部とが干渉しないようになっている。
【００３１】
上述のように第一の操作パネル９１が水平に倒れた状態で、第一の操作パネル９１を前方に引張ると、長孔１２の後部に移動した状態のピン９９が前記係合部を超えて長孔１２の前部に移動する。この状態で、図５に示すように前面扉７の背面の凹部に第一の操作パネル９１を収容して操作部９の回転を規制し、第二の操作パネル９３の操作ボタン９２を操作した際に、操作部９が回転するのを防止できる。
【００３２】
以下に、この実施の形態の電子機器であるＤＶＤレコーダ１において、ＤＶＤレコーダの操作ボタンを使用する方法を説明する。
まず。図３に示すように前面扉７が閉まった状態では、前面板３の左右の操作用開口部１０及び操作部９と、中央のディスク入出用開口部８が扉７に隠された状態となっている。
【００３３】
ここで、前面扉７をＤＶＤレコーダ１の前面の下側縁部に沿った回転軸回りに回転して開けると、前面扉は、ケーシング２の前側で略水平に寝た状態となる。この状態で図４及び図１に示すように、左右の操作部９の第一の操作パネル９１の第一の操作面９１１が前面を向いて操作用開口部１０から露出した状態となる。また、これにより、操作用開口部１０の位置で外部から第一の操作面９１１に配置された操作ボタン９２を操作可能な状態となる。ここで、第二の操作パネル９３は、第一の操作パネル９１の背面側に配置され、第一の操作パネル９１により隠された状態となっている。
【００３４】
次ぎに、操作部９の第一の操作パネル９１の下部をＤＶＤレコーダ１の内部側に向かって後方に押圧することにより、操作部９のピン９９をケーシング２側の長孔１２の後方に移動させるとともに、操作部９をＤＶＤレコーダ１の前面の下側縁部に沿った回転軸回りに回転させる。
これにより、操作部９の上部にある第二の操作パネル９３の後縁部が、前面板３の操作用開口部１０の上側の縁に接触するのを防止しながら、前面扉７上に第一の操作パネル９１が寝た状態となるとともに、第二の操作パネル９３がケーシング２内部から操作用開口部１０を通過して、ケーシング２の外部に出た状態となる。そして、第二の操作パネル９３の第二の操作面９３１が前面を向く。
【００３５】
ここで、操作部９を前方に引き出すように引張ると、操作部９のピン９９が、ケーシング２の長孔１２に沿って長孔１２の前端部に移動する。
これにより、第２の操作パネル９１が引き出されて、前面扉７の背面の凹部に嵌めることが可能となる。そして、第二の操作パネル９１が前面扉７の凹部に嵌ることで、操作部９が安定した状態となり、第二の操作面９３１の操作ボタン９２を操作した際に、操作部９が回転したり、がたついたりするのを防止することができる。
この状態で、図５及び図２に示すように、第二の操作パネル９３の操作ボタン９２が配置された第二の操作面９３１が上述のように操作用開口部１０から露出した状態で安定した状態となり、第二の操作パネル９３の操作が可能となる。
【００３６】
また、この状態では、第一の操作パネル９１の第一の操作面９１１が下を向くとともに、前面扉７の凹部に嵌り込んでいるので、第一の操作面９１１及び第一の操作面９１１に設けられたボタンが隠された状態となる。
また、この状態から、逆に操作部９を回転することで、第一の操作面９１１を使用可能な状態とすることができ、さらに前面扉７を閉めることにより、操作部９を隠した状態とすることができる。
【００３７】
以上のことから、この例の電子機器によれば、第一の操作面９１１と第二の操作面９３１とを切り換えて使用することにより、操作ボタン９２の配置可能な面積をぼぼ二倍とすることができる。これにより、従来、リモコンだけに操作ボタンが配置された機能についても、電子機器本体側に操作ボタン９２を配置して、電子機器本体側から操作可能とすることができる。
【００３８】
これにより、所在不明、故障等によりリモコンが使えない状態となっても、多くの機能について、電子機器本体側の操作ボタン９２で操作を行うことができる。
なお、この例において、操作部９のピン９９が回転自在に嵌合する孔を長孔１２としたが、操作部９の回転中心の位置をずらすか、立った状態の第一の操作パネル９１の上部に配置されていた第二の操作パネル９３を例えば、第二の操作パネル９３の中央部や、それより下に配置することにより、長孔としなくとも操作部９を回転させた際に、前面板３の操作用開口部１０の上側の縁に、第二の操作パネル９３が干渉するのを防止することができる。
【００３９】
また、電子機器を横置き型のものとしたが、縦置き型のものとしても良い。また、この際に、前面扉７及び操作部９の回転軸を水平ではなく、垂直にしても良い。
また、前面扉７及び操作部９の第一の操作パネル９１を９０度もしくは９０度より僅かに広く開くものとしたが、１８０度程度まで開くものとしても良く、この際に、第一の操作パネル９１の背面側に、第一の操作パネル９１とは反対側に操作面を有する第三の操作パネルを設けるものとしても良い。
【００４０】
また、第二の操作面９３１が前方を向いた際に、第一の操作パネル９１が前面扉７の凹部に嵌合して操作部９が操作ボタン９２の操作を受けても回転したりしない安定な状態になるものとしたが、ストッパや着脱自在な嵌合部等により、第一の操作面９１１が前方を向いた状態と、第二の操作面９３１が前方を向いた状態とにおいて、操作部９が容易に回転せずに安定した状態となるようにしても良い。
【００４１】
【発明の効果】
本発明によれば、ケーシングの前面板の開口部にある操作部を回転させて、操作部に設けられた操作ボタンが配置された操作面を切り換えて前方を向かせるようにして使用できるので、電子機器の前面の限られた面積の中に多くの操作ボタンを配置することが可能となる。これにより、リモコンが使用できない状況となっても、電子機器の本体側で、多くの機能の操作を行うことが可能となる。
【図面の簡単な説明】
【図１】本発明の実施の形態の電子機器の正面図である。
【図２】上記電子機器の正面図である。
【図３】上記電子機器の開閉する前面扉と回転する操作部９を示す断面図である。
【図４】上記電子機器の開閉する前面扉と回転する操作部９を示す断面図である。
【図５】上記電子機器の開閉する前面扉と回転する操作部９を示す断面図である。
【符号の説明】
１　　　　ＤＶＤレコーダ（電子機器）
２　　　　ケーシング
３　　　　前面板
７　　　　前面扉
９　　　　操作部
１０　　　操作用開口部
９１　　　第一の操作パネル
９２　　　操作ボタン
９３　　　第二の操作パネル
９１１　　第一の操作面
９３１　　第二の操作面
【図１】
2004022358.tif 000003
【図２】
2004022358.tif 000004
【図３】
2004022358.tif 000005
【図４】
2004022358.tif 000006
【図５】
2004022358.tif 000007